(57)【特許請求の範囲】
【請求項１】
公衆回線とＬＡＮとの間を相互に接続するためのインターワーク装置において、
上記公衆回線から上記ＬＡＮ内への接続要求が受信された際に、上記ＬＡＮ内の着信先を指定する指定情報を取得する取得手段と、
上記取得手段により取得した上記指定情報によって指定されている着信先が上記ＬＡＮ内に接続されているか否かを検索する検索手段と、
上記検索手段による検索の結果、該当する着信先が見つかった場合に発信端末装置との接続を実行する接続実行手段と、
上記検索手段による検索の結果、該当する着信先が見つからなかった場合に発信端末装置との接続を実行し、上記発信端末装置から送信されるデータを蓄積する蓄積手段とを有することを特徴とするインターワーク装置。
【請求項２】
公衆回線とＬＡＮとの間を相互に接続するためのインターワーク装置において、
上記公衆回線から上記ＬＡＮ内への接続要求が受信された際に、上記ＬＡＮ内の着信先を指定する指定情報を取得する取得手段と、
上記取得手段により取得した上記指定情報によって指定されている着信先が上記ＬＡＮ内に接続されているか否かを検索する検索手段と、
上記検索手段による検索の結果、該当する着信先が見つかった場合に上記着信先を呼び出す呼び出し手段と、
上記呼び出し手段による呼び出しの結果、応答があったか否かに応じて、発信端末装置との接続を実行する接続実行手段とを有することを特徴とするインターワーク装置。
【請求項３】
請求項２に記載のインターワーク装置において、
上記接続実行手段は、上記呼び出し手段による呼び出しの結果、応答があった場合に発信端末装置との接続を実行し、応答がなかった場合に発信端末装置との接続を拒否することを特徴とするインターワーク装置。
【請求項４】
公衆回線とＬＡＮとの間を相互に接続するためのインターワーク装置において、
上記公衆回線から上記ＬＡＮ内への接続要求が受信された際に、上記ＬＡＮ内の着信先を指定する指定情報を取得する取得手段と、
上記取得手段により取得した上記指定情報によって指定されている着信先が上記ＬＡＮ内に接続されているか否かを検索する検索手段と、
上記検索手段による検索の結果、該当する着信先が見つかった場合に上記着信先を呼び出す呼び出し手段と、
上記呼び出し手段による呼び出しの結果、応答があった場合に発信端末装置と上記着信先の接続を実行する接続実行手段と、
上記呼び出し手段による呼び出しの結果、応答がなかった場合に発信端末装置との接続を実行し、発信端末装置から送信されるデータを蓄積する蓄積手段とを有することを特徴とするインターワーク装置。
【発明の詳細な説明】
【０００１】
【発明の属する技術分野】
本発明は、インターワーク装置に関する。
【０００２】
【従来の技術】
近来、通信に関する技術が進歩し、通信端末装置（以下、端末）と端末間とので通信を行う場合、単一のネットワーク内だけではなく、異なる種別のネットワークに接続されている端末との通信を行うことも可能となってきている。
【０００３】
そして、あるネットワークにおいて通信を行う場合、その通信接続性を確保するために、通信プロトコル（通信規約）に則って通信が行われる。ＩＳＤＮ（Integrated Services Digital Network ）などの公衆回線では、この通信プロトコルはＩＴＵ（International Telecomunication Union）などの標準化団体で定められている。
【０００４】
例えば、ＩＳＤＮでは端末−端末間の接続手順、および切断手順は、ＩＴＵ−Ｔ勧告Ｑ．９３１で規定されている。しかし、ＬＡＮ（LocaL Erea Network）では、各ベンダや各団体で独自のプロトコルを使用しており、ネットワークごとに異なっていることが多い。
【０００５】
そのため、ＩＳＤＮとＬＡＮなどのように、異なる種別のネットワークに接続されている端末間で通信を行うような場合では、一般に「ゲートウェイ」や「ルータ」と呼ばれているインターワーク装置を用いる。つまり、インターワーク装置は、プロトコル変換など、ネットワークとネットワークとの間においてのインターワークを行うための装置である。
【０００６】
ここで、図１０〜図１３を参照しながら、上記のような異なる種別のネットワークに接続された端末間で通信する場合の通信システムの動作について説明する。
【０００７】
図１０は、上記通信システムの構成例である。図１０において、３０１はＩＳＤＮ回線、３０２はイーサネットなどのＬＡＮ、３１１はＩＳＤＮへのインターフェイスを有し、ＩＳＤＮ３０１に接続された通信端末装置である。
【０００８】
３１２〜３１４は、ＬＡＮ３０２へのインターフェイスを有し、ＬＡＮ３０２に接続された通信端末装置である。
３２１は、ＩＳＤＮ３０１とＬＡＮ３０２とに接続され、ＩＳＤＮ３０１とＬＡＮ３０２とのインターワークを行うインターワーク装置である。
３３１〜３３４はユーザであり、端末３１１〜端末３１４をそれぞれ使用して上記ＬＡＮ３０１にログインしている。
【０００９】
以下、従来の通信システムの動作について説明する。概略としては、端末３１１を使用しているユーザ３３１が、ＬＡＮ３０２内の端末３３２〜端末３３４のいずれかを使用しているユーザ３３２〜ユーザ３３４のいずれかと通信を行うものであり、ユーザ３３２〜ユーザ３３４は端末３１２〜端末３１４のいずれの端末も使用する可能性がある。
【００１０】
図１１は、この時の動作手順を示すフローチャートであり、図１２は、図１１において“ステップＳ３０５でＹ”の場合の概略を示すシーケンス図である。また図１３は、図１１において“ステップＳ３０５でＮ”の場合の概略を示すシーケンス図である。
【００１１】
以下，図１１のフローチャートを参照しながら説明する。
まず、ステップＳ３０１において、ユーザ３３１が、端末３１１からインターワーク装置３２１へ発呼する。
【００１２】
次に、ステップＳ３０２において、ＩＳＤＮ３０１を介して、端末３１１とインターワーク装置３２１とが接続される。ここで、端末３１１とインターワーク装置３２１とが接続されたことにより、端末３１１は、ＬＡＮ３０２に接続されたことになる。
【００１３】
次に、ステップＳ３０３において、ユーザ３３１が、端末３１１からＬＡＮ３０２へログインする。これによりユーザ３３１は、ＬＡＮ３０２にアクセス可能となる。
【００１４】
次に、ステップＳ３０４において、ユーザ３３１は通信を行いたいユーザ（着信ユーザ）がＬＡＮ３０２にログインしているか否かを検索する。
次のステップＳ３０５においては、ステップＳ３０４での検索の結果、該当する着信ユーザが見つかった場合には、ステップＳ３０６に進み、見つからなかった場合にはステップＳ３１０に進む。
【００１５】
ステップＳ３０６においては、ユーザ３３１が、上記着信ユーザの使用しているＬＡＮ端末のアドレスを検索して取得する。
次に、ステップＳ３０７において、ユーザ３３１が端末３１１から、インターワーク装置３２１と上記着信端末との接続開始を指示する。
【００１６】
次に、ステップＳ３０８において、ＬＡＮ３０２を介して、インターワーク装置３２１と上記着信端末との間でコネクションが確立される。これ以後、端末３１１と上記着信端末との間では、インターワーク装置３２１のプロトコル変換機構を介して通信が可能となる。
【００１７】
次に、ステップＳ３１０において、ユーザ３３１は、ＬＡＮ３０２よりログアウトする。
次に、ステップＳ３１１において、ユーザ３３１が、端末３１１とインターワーク装置３２１との接続を切断する。
【００１８】
【発明が解決しようとする課題】
上述のようにして、インターワーク装置を利用する場合、図１２に示す通り、発信端末とインターワーク装置との間と、インターワーク装置と着信端末との間の接続が２段階に分かれていた。そのため、発信端末−インターワーク装置との接続が確立された後でのみ、インターワーク装置から先のネットワークの情報が得られることになる。
【００１９】
よって、目的の着信ユーザがネットワーク内に見つからない（アクセスしていない）場合、図１３に示すように発信端末とインターワーク装置との間の公衆回線の接続が無駄になってしまうという欠点があった。
【００２０】
また、発信端末側のユーザは、上記２つの接続についてそれぞれ指示しなければならないため、煩雑な手順を行わなければならない問題があった。
また、ＬＡＮ３０２の特性として、ＬＡＮ３０２および端末に登録されているユーザであれば、ＬＡＮ３０２内のいずれの端末も使用可能となり、事前にどのユーザがどの端末を使用しているかがわからない問題があった。
【００２１】
そのため、発信端末３１１側のユーザ３３１は、着信ユーザの検索も行わなければならないため、手順が煩雑であり、また２つのネットワークについての知識や操作法を習熟している必要があった。
本発明は上述の問題点に鑑み、ユーザがネットワーク間の構成を意識することなく公衆回線とＬＡＮとを介して通信を行うことができるようにするとともに、無駄な回線接続が行われないようにすることを目的とする。
【００２２】
【課題を解決するための手段】
本発明のインターワーク装置は、公衆回線とＬＡＮとの間を相互に接続するためのインターワーク装置において、上記公衆回線から上記ＬＡＮ内への接続要求が受信された際に、上記ＬＡＮ内の着信先を指定する指定情報を取得する取得手段と、上記取得手段により取得した上記指定情報によって指定されている着信先が上記ＬＡＮ内に接続されているか否かを検索する検索手段と、上記検索手段による検索の結果、該当する着信先が見つかった場合に発信端末装置との接続を実行する接続実行手段と、上記検索手段による検索の結果、該当する着信先が見つからなかった場合に発信端末装置との接続を実行し、上記発信端末装置から送信されるデータを蓄積する蓄積手段とを有する。
【００２３】
本発明のインターワーク装置における他の態様は、公衆回線とＬＡＮとの間を相互に接続するためのインターワーク装置において、上記公衆回線から上記ＬＡＮ内への接続要求が受信された際に、上記ＬＡＮ内の着信先を指定する指定情報を取得する取得手段と、上記取得手段により取得した上記指定情報によって指定されている着信先が上記ＬＡＮ内に接続されているか否かを検索する検索手段と、上記検索手段による検索の結果、該当する着信先が見つかった場合に上記着信先を呼び出す呼び出し手段と、上記呼び出し手段による呼び出しの結果、応答があったか否かに応じて、発信端末装置との接続を実行する接続実行手段とを有する。
【００２４】
また、本発明のインターワーク装置におけるその他の態様は、上記接続実行手段は、上記呼び出し手段による呼び出しの結果、応答があった場合に発信端末装置との接続を実行し、応答がなかった場合に発信端末装置との接続を拒否する。
【００２５】
また、本発明のインターワーク装置におけるその他の態様は、公衆回線とＬＡＮとの間を相互に接続するためのインターワーク装置において、上記公衆回線から上記ＬＡＮ内への接続要求が受信された際に、上記ＬＡＮ内の着信先を指定する指定情報を取得する取得手段と、上記取得手段により取得した上記指定情報によって指定されている着信先が上記ＬＡＮ内に接続されているか否かを検索する検索手段と、上記検索手段による検索の結果、該当する着信先が見つかった場合に上記着信先を呼び出す呼び出し手段と、上記呼び出し手段による呼び出しの結果、応答があった場合に発信端末装置と上記着信先の接続を実行する接続実行手段と、上記呼び出し手段による呼び出しの結果、応答がなかった場合に発信端末装置との接続を実行し、発信端末装置から送信されるデータを蓄積する蓄積手段とを有する。
【００２９】
また、本発明の他の特徴によれば、受信した接続要求メッセージからＬＡＮ内の着信ユーザを指定する情報を取得した時に、上記情報が指定している着信ユーザが見つかった場合にその着信ユーザの呼び出しを行い、上記呼び出しに対して応答があった場合に発信端末装置と該当する着信ユーザとの接続を実行し、応答がなかった場合には接続を拒否するので、目的の着信ユーザがＬＡＮ内にログインしており、しかも、呼び出しに対して応答があった場合だけ、インターワーク装置と着信端末との間、および発信端末とインターワーク装置との間が接続されることになる。
【００３０】
また、本発明のその他の特徴によれば、着信ユーザの呼び出しの結果、応答がなかった場合にも発信端末装置との接続を実行し、発信端末装置から送信される音声や映像などをインターワーク装置に蓄積するようにしたので、ログインしていない場合や呼び出しに対する応答がなかった場合でも着信ユーザに何らかのメッセージを伝達するようにすることが可能となる。
【００３１】
【発明の実施の形態】
以下、本発明のインターワーク装置および通信システムの一実施形態を図面を参照しながら説明する。
図１は、本発明の第１の実施形態である通信システムの構成を示すブロック図である。図１において、１０１は、通信端末装置１１１とインターフェイス装置１２１が通信を行うＩＳＤＮ回線である。
１０２は、インターフェイス装置１２１と端末１３１〜１３３が通信を行うイーサネットなどのＬＡＮである。
【００３２】
１１１は、ＩＳＤＮ１０１に接続された通信端末装置であり、ＩＳＤＮ１０１へのインターフェイスを有ている。
１１２はシステム制御部であり、ユーザからの指定により着信端末情報や着信ユーザ情報を回線制御部１１３に伝達するなど、通信端末装置１１１全体のシステムの制御を行う。
１１３は回線制御部であり、ＩＴＵ−Ｔ勧告Ｑシリーズ等のＩＳＤＮユーザ・網インターフェイスに従って接続要求メッセージであるＳＥＴＵＰメッセージを送信するなどの回線の制御を行う。
【００３３】
１２１は、上述したように、ＩＳＤＮ回線１０１とＬＡＮ１０２とに接続され、上記ＩＳＤＮ回線１０１とＬＡＮ１０２とのインターワークを行うインターワーク装置である。
１２２は回線制御部であり、ＩＴＵ−Ｔ勧告Ｑシリーズ等のＩＳＤＮユーザ・網インターフェイスに従ってＩＳＤＮ回線１０１側の通信プロトコル処理を行うためのものである。
【００３４】
１２３はＬＡＮ制御部であり、接続されたＬＡＮ１０２で用いられているインターフェイスに従って、ＬＡＮ１０２側の通信プロトコル処理を行う。
１２４はシステム制御部であり、上記回線制御部１２２から得られた着信端末や着信ユーザの情報をハンドリングしたり、必要に応じて留守録蓄積メモリへの留守録を行うなど、インターワーク装置１２１の全体制御を行うものである。
【００３５】
１２５は、ＬＡＮ１０２に接続されている他の端末のＬＡＮアドレスや端末番号などのような端末に関する情報を含んでいるＬＡＮ端末情報である。
１２６は、回線制御部１２２から受信した音声、映像などの受信データを蓄積するための留守録蓄積メモリである。
また、１２１ａは着信ユーザ情報取得手段、１２１ｂは着信ユーザ検索手段、１２１ｃは着信ユーザ呼び出し手段である。
【００３６】
着信ユーザ情報取得手段１２１ａは、上記ＩＳＤＮ回線１０１から上記ＬＡＮ１０２内へ接続を要求する接続要求メッセージが送信された時に、上記ＩＳＤＮ回線１０１から送信された接続要求メッセージから上記ＬＡＮ１０２内の着信ユーザを指定する情報を取得するものである。
【００３７】
着信ユーザ検索手段１２１ｂは、上記着信ユーザ情報取得手段１２１ａにより取得した情報が指定している着信ユーザが、上記ＩＳＤＮ回線１０１から上記ＬＡＮ１０２内へ接続する要求がなされた時に上記ＬＡＮ１０２内に接続されているか否かを検索するためのものである。
【００３８】
着信ユーザ呼び出し手段１２１ｃは、上記着信ユーザ検索手段１２１ｃによる検索の結果、該当する着信ユーザが見つかった場合に上記着信ユーザを呼び出すためのものである。
【００３９】
１３１〜１３３はＬＡＮ端末であり、それぞれがＬＡＮ１０２に接続され、それぞれの間やインターワーク装置１２１と通信可能である。
１４１は、通信端末装置１１１を使用しているユーザである。
【００４０】
１５１〜１５３は、ＬＡＮ端末１３１〜ＬＡＮ端末１３３をそれぞれ使用し、各使用端末からＬＡＮ１０２にログインしているユーザである。
図２は、ＬＡＮ端末情報１２５の構造を示す説明図である。図２に示したように、ＬＡＮ端末情報１２５には、ＬＡＮ１０２に接続された端末の情報として、ＩＳＤＮ回線１０１から端末を識別するために割り当てられた端末番号、端末名称や、ＬＡＮ上で各端末に割り当てられた端末のＬＡＮアドレス情報などが、各端末それぞれについて記録されている。
【００４１】
以下、第１の実施形態の動作手順について説明する。概略としては、通信端末装置１１１を使用しているユーザ１４１が、インターワーク１２１を介して、ＬＡＮ端末１３１〜ＬＡＮ端末１３３のいずれかを使用していると思われるユーザに発信し、通信を行うものである。よって、以下の説明では、通信端末装置１１１＝発信端末とし、ＬＡＮ端末１３１〜ＬＡＮ端末１３３のいずれかを着信端末とする。
【００４２】
まず、発信端末である通信端末装置１１１の動作について説明する。
図３は、通信端末装置１１１の動作を示すフローチャートである。
まず、ユーザ１４１の指示により発信が要求されると、ステップＳ１０１において、ＳＥＴＵＰメッセージを作成する。上記ＳＥＴＵＰメッセージなどの呼制御メッセージはＩＴＵ−Ｔ勧告Ｑ．９３１で規定されており、図１４にその意味を示す。またＳＥＴＵＰメッセージの内部は、図７に示すような構造となっている。
【００４３】
この時、着信ユーザを指定するための情報（ＬＡＮ内でユーザを識別するための名称、一般にログイン名）およびインターワーク装置１２１のＩＳＤＮアドレスが、システム制御部１１２により回線制御部１１３に伝達され、それぞれＳＥＴＵＰメッセージ中の着サブアドレス情報要素および着番号情報要素として符号化される。
【００４４】
次に、ステップＳ１０２において、ＳＥＴＵＰメッセージを送信し、インターワーク装置１２１に対して発呼する。
次に、ステップＳ１０３において、ＡＬＥＲＴメッセージを受信したら、ステップＳ１０４に進み、ＣＯＮＮメッセージを受信したか否かを判断し、受信した場合には、インターワーク装置１２１との接続が受け付けられたこととなるので、次に、ステップＳ１０５に進んでＣＯＮＮ  ＡＣＫメッセージを送信し、インターワーク装置１２１との接続処理を完了する。
【００４５】
一方、ステップＳ１０４においてＣＯＮＮメッセージを受信しなかった場合には、ステップＳ１０４からステップＳ１１０に進み、ＤＩＳＣメッセージを受信したか否かを判断する。
【００４６】
上記判断の結果、受信した場合には、インターワーク装置１２１との接続が拒否されたこととなるので、ステップＳ１１１に進んでＲＥＬメッセージを送信する。次に、ステップＳ１１２において、ＲＥＬ  ＣＯＭＰメッセージを受信することにより、インターワーク装置１２１との被接続拒否処理を完了する。
【００４７】
次に、インターワーク装置１２１の動作について、図４〜図６を参照しながら説明する。
図４は、インターワーク装置１２１の動作手順を示すフローチャートである。図５は、図４において“Ｓ２０６、Ｙ”の場合の手順の概略を示すシーケンス図である。図６は、図４において“ステップＳ２０６、Ｎ”の場合の手順の概略を示すシーケンス図である。
【００４８】
図４に示したように、まず、ステップＳ２０１において、回線制御部１２２がＳＥＴＵＰメッセージを受信する。
次に、ステップＳ２０２において、ＡＬＥＲＴメッセージを送信する。
次に、ステップＳ２０３において、上記受信したＳＥＴＵＰメッセージの着サブアドレス情報要素から着信ユーザ情報を取得し、システム制御部１２４に伝達する。
【００４９】
次に、ステップＳ２０４において、ＬＡＮ１０２のアクセス状況情報をＬＡＮ１０２から取得する。
次に、ステップＳ２０５において、ステップＳ２０３で取得した着信ユーザ情報を検索キーとして、ステップＳ２０４で取得したアクセス状況情報を検索する。
【００５０】
次に、ステップＳ２０６において、ステップＳ２０５での検索の結果を判断し、該当するユーザが見つかった場合は、ステップＳ２０７の処理を行う。一方、該当するユーザが見つからなかった場合には、ステップＳ２１５に進む。
ステップＳ２０７においては、着信ユーザの使用している端末のＬＡＮアドレスを、ＬＡＮ端末情報１２５から検索して取得する。
【００５１】
次に、ステップＳ２０８において、ステップＳ２０４で検索した着信端末のＬＡＮアドレスを利用して、ＬＡＮ制御部１２３の制御により、インターワーク装置１２１と該当する着信端末との間でコネクションを確立する。
【００５２】
次に、ステップＳ２０９において、インターワーク装置１２１が、該当する着信ユーザに対して呼び出しを行う。
次に、ステップＳ２１０において、該当する着信ユーザからインターワーク装置１２１に対して応答の有無を判断し、応答があればステップＳ２１１に進み、応答が拒否された場合はステップＳ２１５に進む。
【００５３】
次に、ステップＳ２１１において、インターワーク装置１２１が回線制御部１２２からＣＯＮＮメッセージを送信し、通信端末装置１１１との接続を受け付けることを示す。
次に、ステップＳ２１２において、ＣＯＮＮ  ＡＣＫメッセージを受信することにより、通信端末装置１１１との接続を完了する。
【００５４】
一方、ステップＳ２１５に進んだ場合、インターワーク装置１２１は回線制御部１２２からＤＩＳＣメッセージを送信し、通信端末装置１１１との接続を拒否することを示す。
次に、ステップＳ２１６においてＲＥＬメッセージを受信したら、ステップＳ２１７に進んでＲＥＬ  ＣＯＭＰメッセージを送信することにより、通信端末装置１１１との接続拒否処理が完了する。
【００５５】
次に、本発明の第２の実施形態を説明する。
上記第１実施形態において、インターワーク装置１２１が、以下のように動作する場合もある。
【００５６】
図８は、インターワーク装置１２１の動作手順を示すフローチャートである。図９は、図８において“ステップＳ４０６、Ｎ”の場合の概略を示すシーケンス図である。
【００５７】
まず、ステップＳ４０１において、回線制御部１２２がＳＥＴＵＰメッセージを受信すると、ステップＳ４０２に進み、ＡＬＥＲＴメッセージを送信する。
次に、ステップＳ４０３において、上記受信したＳＥＴＵＰメッセージの着サブアドレス情報要素から着信ユーザ情報を取得し、システム制御部１２４に伝達する。
【００５８】
次に、ステップＳ４０４において、ＬＡＮ１０２のアクセス状況情報をＬＡＮ１０２から取得する。
次に、ステップＳ４０５において、ステップＳ４０３で取得した着信ユーザ情報を検索キーとして、ステップＳ４０４で取得したアクセス状況情報を検索する。
【００５９】
次に、ステップＳ４０６において、ステップＳ４０５での検索の結果、該当するユーザが見つかった場合は、ステップＳ４０７に進み、見つからなかった場合にはステップＳ４１５に進む。
【００６０】
ステップＳ４０７においては、該当する着信ユーザの使用している端末のＬＡＮアドレスを、ＬＡＮ端末情報１２５から検索して取得する。
次に、ステップＳ４０８において、ステップＳ４０４で検索した該当する着信端末のＬＡＮアドレスを利用して、ＬＡＮ制御部１２３の制御により、インターワーク装置１２１と該当する着信端末との間でコネクションを確立する。
【００６１】
次に、ステップＳ４０９において、インターワーク装置１２１が、該当する着信ユーザに対して、呼び出しを行う。
次に、ステップＳ４１０において、該当する着信ユーザからインターワーク装置１２１に対して応答があるか否かを判断し、応答があればステップＳ４１１に進み、応答が拒否された場合はステップＳ４１５に進む。
【００６２】
ステップＳ４１１に進んだ場合は、インターワーク装置１２１が、回線制御部１２２からＣＯＮＮメッセージを送信し、通信端末装置１１１との接続を受け付けることを示す。
次に、ステップＳ４１２において、ＣＯＮＮ  ＡＣＫメッセージを受信することにより、通信端末装置１１１との接続を完了する。
【００６３】
一方、ステップＳ４１０からステップＳ４１５に進んだ場合には、インターワーク装置１２１は、回線制御部１２２からＣＯＮＮメッセージを送信し、通信端末装置１１１との接続を受け付けることを示す。
【００６４】
次に、ステップＳ４１６において、ＣＯＮＮ  ＡＣＫメッセージを受信すると、インターワーク装置１２１と通信端末装置１１１との間で接続が完了し、データの送受信が可能となる。
次に、ステップＳ４１７において、システム制御部が留守録を開始し、回線制御部１２２からのデータを留守録蓄積メモリ１２６へ蓄積する。
【００６５】
上述したように、上記インターワーク装置および通信システムによれば、ＩＳＤＮ回線とＬＡＮとの間の相互接続を行う際に、上記ＩＳＤＮ回線からＬＡＮ内へ接続を要求する接続要求メッセージを受信した時に、上記受信した接続要求メッセージから上記ＬＡＮ内の着信ユーザを指定する情報を取得し、上記取得した情報が指定している着信ユーザが、その時点で上記ＬＡＮ内に接続されているか否かを検索するようにしたので、目的の着信ユーザがＬＡＮ内にログインしている場合だけ、発信端末とインターワーク装置との間の回線を接続するようにすることができ、ユーザがネットワーク間の構成を意識することなく通信を行うことができるとともに、回線の接続料金を無駄にしなくても済む。
【００６６】
また、受信した接続要求メッセージからＬＡＮ内の着信ユーザを指定する情報を取得した情報が指定している着信ユーザが見つかった場合にはその着信ユーザの呼び出しを行い、上記呼び出しに対して応答があった場合に発信端末装置との接続を実行し、応答がなかった場合には接続を拒否するようにしたので、目的の着信ユーザがＬＡＮ内にログインしており、しかも、呼び出しに対して応答があった場合だけ、着信端末とインターワーク装置との間、およびインターワーク装置と発信端末との間の接続を自動的に行うようにすることができ、回線の接続料金が無駄にならないようにすることができる。
また、ＩＳＤＮ回線からＬＡＮ内への接続要求が行われた時に、発信端末装置がＬＡＮ内の着信ユーザを指定する情報を含んだ接続要求メッセージを送信し、上記接続要求メッセージを受信したインターワーク装置は、該当する着信ユーザが見つからなかった場合には、発信端末装置との接続を実行して留守録を行うようにして、該当する着信ユーザが見つかった場合には、着信ユーザの呼び出しを行い、上記呼び出しに対し応答があった場合に、発信端末装置との接続を実行するとともに、応答がなかった場合には発信端末装置との接続を実行して留守録を行うようにしたので、ユーザはネットワークの構成を意識することなく通信を行うことができるとともに、着信ユーザが不在の場合も何らかのメッセージを伝達するようにすることができる。
【００６７】
【発明の効果】
本発明によれば、ユーザがネットワーク間の構成を意識することなく公衆回線とＬＡＮとを介して通信を行うことができ、しかも、無駄な回線接続を防止できる。
【図面の簡単な説明】
【図１】本発明の第１の実施形態によるインターワーク装置および通信システムの構成を示すブロック図である。
【図２】第１の実施形態におけるＬＡＮ端末情報のデータ構成を示す図である。
【図３】発信端末の動作手順を示すフローチャートである。
【図４】インターワーク装置の動作手順を示すフローチャートである。
【図５】着呼端末との接続を行う場合の状況を示すシーケンス図である。
【図６】着呼端末との接続を行わない場合の状況を示すシーケンス図である。
【図７】ＳＥＴＵＰメッセージのデータ構成を示す図である。
【図８】第２のの実施形態において、インターワーク装置の動作手順を示すフローチャートである。
【図９】第２の実施形態において、留守録を行う状況を示すシーケンス図である。
【図１０】従来のインターワーク装置および通信システムの構成を示す構成図である。
【図１１】従来の通信システムの動作手順を示すフローチャートである。
【図１２】従来の通信システムの動作状況を示すシーケンス図である。
【図１３】従来の通信システムの動作状況を示すシーケンス図である。
【図１４】ＩＴＵ−Ｔ勧告Ｑ．９３１で規定される呼制御メッセージ（一部）のリストを示す図である。
【符号の説明】
１０１  ＩＳＤＮ回線
１０２  ＬＡＮ
１１１  通信端末装置
１１２  システム制御部
１１３  回線制御部
１２１  インターワーク装置
１２２  回線制御部
１２３  ＬＡＮ制御部
１２４  システム制御部
１２５  ＬＡＮ端末情報
１２６  留守録蓄積メモリ
１３１  ＬＡＮ通信端末装置
１３２  ＬＡＮ通信端末装置
１３３  ＬＡＮ通信端末装置
１４１  ユーザ
１５１  ユーザ
１５２  ユーザ
１５３  ユーザ
【図１】
0003639666.tif 000002
【図２】
0003639666.tif 000003
【図３】
0003639666.tif 000004
【図４】
0003639666.tif 000005
【図５】
0003639666.tif 000006
【図６】
0003639666.tif 000007
【図７】
0003639666.tif 000008
【図８】
0003639666.tif 000009
【図９】
0003639666.tif 000010
【図１０】
0003639666.tif 000011
【図１１】
0003639666.tif 000012
【図１２】
0003639666.tif 000013
【図１３】
0003639666.tif 000014
【図１４】
0003639666.tif 000015